(57)【要約】  開示された各実施例は、前方誤り訂正（ＦＥＣ）パケットを生成するシステムに関する。このシステムには、データを受信して、このデータを使用して第１のＦＥＣデータを符号化して、ＦＥＣ符号化データを形成する第１のＦＥＣ符号器（１０６）が含まれている。また、このシステムには、ＦＥＣ符号化データを符号化して第２のＦＥＣデータを生成する第２のＦＥＣ符号器（１１２）が含まれている。ＦＥＣパケット・フォーマッタ（１１８）が、第２のＦＥＣデータをフォーマットしてＦＥＣパケットにする。
2007525089.tif 000002
【特許請求の範囲】
【請求項１】
前方誤り訂正（ＦＥＣ）パケットを生成するシステムであって、
データを受信し、前記データにより第１のＦＥＣデータを符号化して、ＦＥＣ符号化データを形成する第１のＦＥＣ符号器（１０６）と、
前記ＦＥＣ符号化データを符号化して第２のＦＥＣデータを生成する第２のＦＥＣ符号器（１１２）と、
前記第２のＦＥＣデータをフォーマットしてＦＥＣパケットにするＦＥＣパケット・フォーマッタ（１１８）と、
を含む、前記ＦＥＣパケットを生成するシステム。
【請求項２】
前記ＦＥＣパケットが、空き時分割多元接続（ＴＤＭＡ）タイム・スロットに挿入される、請求項１記載のＦＥＣパケットを生成するシステム。
【請求項３】
前記データに対応するヘッダには、前記データを前記空きＴＤＭＡタイム・スロットに含まれる前記第２のＦＥＣデータに対応付ける情報が収容されている、請求項２記載のＦＥＣパケットを生成するシステム。
【請求項４】
前記空きＴＤＭＡタイム・スロットに対応する位置が、ＴＤＭＡマスタにより予め決定される、請求項２記載のＦＥＣパケットを生成するシステム。
【請求項５】
前記ＦＥＣ符号化データをフォーマットしてデータ・パケットにするペイロード・パケット・フォーマッタ（１１４）を含む、請求項１記載のＦＥＣパケットを生成するシステム。
【請求項６】
前記第２のＦＥＣ符号器（１１２）が、組織ブロック符号を用いて前記第２のＦＥＣデータを生成する、請求項１記載のＦＥＣパケットを生成するシステム。
【請求項７】
前記ＦＥＣパケットが、受信装置により節電のために無視される、請求項１記載のＦＥＣパケットを生成するシステム。
【請求項８】
前方誤り訂正（ＦＥＣ）パケットを復号化するシステムであって、
データ・パケットとＦＥＣパケットとを受信して、前記ＦＥＣパケット内に収容された第１のＦＥＣデータを使用して前記データ・パケット内に収容されたデータを復号化して、部分的復号化データを生成する第１のＦＥＣ復号器（２２０）と、
前記部分的復号化データを受信して、前記データ・パケット内に収容された第２のＦＥＣデータに基づいて、前記データを更に復号化する第２のＦＥＣ復号器（２２４）と、
を含む、前記ＦＥＣパケットを復号化するシステム。
【請求項９】
前記データ・パケットに対応するヘッダを復号化して前記ＦＥＣパケットを特定するヘッダ復号器（２１０）を含む、請求項８記載のＦＥＣパケットを復号化するシステム。
【請求項１０】
前記ＦＥＣパケットが、所定の時分割多元接続（ＴＤＭＡ）タイム・スロットから受信される、請求項８記載のＦＥＣパケットを復号化するシステム。
【請求項１１】
前記ＴＤＭＡタイム・スロットに対応する位置が、送信装置により予め決定される、請求項１０記載のＦＥＣパケットを復号化するシステム。
【請求項１２】
前記ＦＥＣパケットが、受信装置により節電のために無視される、請求項８記載のＦＥＣパケットを復号化するシステム。
【請求項１３】
前方誤り訂正（ＦＥＣ）パケットを処理する方法であって、
データと第１のＦＥＣデータとを収容するデータ・パケットを受信するステップと、
第２のＦＥＣデータを収容するＦＥＣパケットを受信するステップと、
前記第２のＦＥＣデータを使用して前記データを処理すべきか否かを決定するステップと、
を含む、前記方法。
【請求項１４】
前記第２のＦＥＣデータを使用して前記データを処理して部分的復号化データを生成するステップを含む、請求項１３記載の方法。
【請求項１５】
前記第１のＦＥＣデータを使用して前記部分的復号化データを処理するステップを含む、請求項１４記載の方法。
【請求項１６】
前記各ステップが、記載された順序で実施される、請求項１５記載の方法。
【請求項１７】
前記第１のＦＥＣデータのみを使用して前記データを処理するステップを含む、請求項１３記載の方法。
【請求項１８】
前記各ステップが、記載された順序で実施される、請求項１７記載の方法。
【請求項１９】
節電のために前記第２のＦＥＣデータを無視するステップを含む、請求項１３記載の方法。
【請求項２０】
前記各ステップが、記載された順序で実施される、請求項１９記載の方法。
【発明の詳細な説明】
【技術分野】
【０００１】
本発明は、時分割多元接続（ＴＤＭＡ：Ｔｉｍｅ  Ｄｉｖｉｓｉｏｎ  Ｍｕｌｔｉｐｌｅ  Ａｃｃｅｓｓ、時分割多重アクセス）通信システムに於ける前方誤り訂正（ＦＥＣ：Ｆｏｒｗａｒｄ  Ｅｒｒｏｒ  Ｃｏｒｒｅｃｔｉｏｎ、順方向誤り訂正）の実施に関する。
【背景技術】
【０００２】
本項目では、後述する本発明の種々の特徴に関連する技術の種々の特徴を説明する。その説明から背景技術の情報が得られ、その情報により本発明の種々の特徴を容易に、且つ、より良く理解できるであろう。従って、以下の説明は、この観点から行うものであって、従来技術の有利性を認めるものではない。
【０００３】
時分割多元接続（ＴＤＭＡ）通信システムでは、１つのベース・ユニット（ｂａｓｅ  ｕｎｉｔ：親機）が、その他のベース・ユニットと多数の域内移動端末（ＭＴ：Ｍｏｂｉｌｅ  Ｔｅｒｍｉｎａｌ、携帯端末）との間の通信を促進する。ベース・ユニットと移動端末とは、一般に、１つの特定周波数または１つの特定組の周波数を使用してデータ信号の送受信が可能である。データ信号は、タイム・スロット（ｔｉｍｅ  ｓｌｏｔ）と呼ばれる一定数の小さな単位に分解される。このタイム・スロットは、データ信号の各サイクル期間の間、繰り返し現れる。所定の通信セッションの期間の間、移動端末には、特定のタイム・スロットが割り当てられる。移動端末からのデータは、通信セッションの期間の間、割り当てられたタイム・スロットで送信される。どの基地局（ｂａｓｅ  ｓｔａｔｉｏｎ）環境でも、一般に、少なくとも幾らかのタイム・スロットが、任意の時点で、使用されていない。
【０００４】
前方誤り訂正（ＦＥＣ）は、時分割多元接続（ＴＤＭＡ）通信を含むディジタル通信の進展に有益な技術である。ＦＥＣを使用した通信システムでは、誤り訂正パリティ・ビットが、実際の通信データを収容したパケットと共に送信される。この誤り訂正パリティ・ビットは、送信データの受信側で、データを正確に再構成するのに、即ち、正確に組み立て直すのに使用される。
【０００５】
前方誤り訂正（ＦＥＣ）システムは、ある程度の誤ったデータを解決できる、即ち、許容できるため、ＦＥＣを使用した場合のデータ送信に要する電力は、ＦＥＣを使用しない場合に比べて、低く済む。前方誤り訂正（ＦＥＣ）の強度は、一般に、一定数のデータ・ビットについて送信されるＦＥＣパリティ・ビットの数に比例する。高い強度のＦＥＣ符号体系を使用したシステム（例えば、１データ・ビット当り、より多くのパリティ・ビットを使用した場合）では、より多くの誤りデータ・ビットを許容でき、尚且つ、データ・パケットの正確な再構成が可能になる。このようなシステムを使用することにより、一定の情報スループットについて、送信装置の電力の低減化、バッテリ寿命の長期化、および、移動端末の通信範囲の拡大化を促進できる。
【０００６】
しかし、どの通信システムについても各送信方式のパラメータ（例えば、変調の種類、ＦＥＣ方式、許容帯域幅、媒体アクセス制御等）は、一般に、規定され、固定されている。このようなシステムでは、移動(携帯）端末の通信範囲を拡大する（或いは、一定の範囲およびスループットについての電力消費を低減する）唯一の方法は、従来より、送信装置の電力を増大することであるが、これによりバッテリの寿命が短くなってしまう。ＴＤＭＡ通信システムに於けるＦＥＣ機能を改善する装置および方法が望まれる。
【発明の開示】
【０００７】
(発明の概要)
ここに開示される各実施例は、前方誤り訂正（ＦＥＣ）パケットを生成するシステムに関する。このシステムには、データを受信して、このデータを使用して第１のＦＥＣデータを符号化して、ＦＥＣ符号化データを形成する第１のＦＥＣ符号器が含まれている。また、このシステムには、ＦＥＣ符号化データを符号化して第２のＦＥＣデータを生成する第２のＦＥＣ符号器が含まれている。ＦＥＣパケット・フォーマッタが、第２のＦＥＣデータをフォーマットしてＦＥＣパケットにする。
【発明を実施するための最良の形態】
【０００８】
以下、本発明の具体的な実施例を説明する。尚、本明細書では、実施例を簡潔に説明するように努めるため、必ずしも本発明を実施する形態の全ての特徴を説明する訳ではない。また、本発明の任意の実施形態を展開する場合、その実施形態が如何なる技術的或いは設計的プロジェクトに於けるものであっても、実施形態に対応する数多くの事項を決定すれば、各実施形態により異なるそれぞれの具体的な目的（例えば、システムに関連する制約条件やビジネスに関連する制約条件を満たすこと等）を達成できる。上記展開への取り組みは、複雑であり、且つ、時間が掛かるかもしれないが、本発明の開示事項の利益を得るべき当業者にとっては、設計、組み立て、および、製造に係る通常の作業であろう。
【０００９】
図１は、本発明の一実施例に従うデータ・パケットおよび前方誤り訂正（ＦＥＣ）パケットの例を示すブロック図である。この図では、全体が参照番号１０で示されるデータ・パケット１２と前方誤り訂正（ＦＥＣ）パケット１４が示されている。尚、「データ（ｄａｔａ）」という表現は、本明細書に於いて単独で使用する場合、データ信号を表す通信データを意味する。また、ＦＥＣパリティ・ビットのような誤り訂正データを「ＦＥＣデータ」ということにする。ＴＤＭＡ通信システムは、データ・パケット１２およびＦＥＣパケット１４のような各パケットを使用して、１つのベース・ユニットと多数の移動端末との間の通信を実現する。
【００１０】
データ・パケット１２は、第１のヘッダ１６、データ・ペイロード１８、および、１ビット或いは複数ビットで構成された第１の前方誤り訂正（ＦＥＣ）データ２０から成る。また、ＦＥＣパケット１４は、第２のヘッダ２２、および、１ビット或いは複数ビットで構成された第２の前方誤り訂正（ＦＥＣ）データ２４から成る。第１のヘッダ１６には、破線の矢印で示されるように、第２のヘッダ２２を指し示すポインタ・データが含まれることがある。従って、第１のヘッダ１６は、第２のＦＥＣデータ２４をデータ・パケット１２に関連付けている。
【００１１】
本発明の各実施例は、任意の時点で、全ての時分割多元接続（ＴＤＭＡ）タイム・スロットが占有されている（使用されている）ことはまず有り得ないことを利用している。これは、実際、任意のＴＤＭＡ基地局に対応する全てのユーザが、任意の時点で、アクティブ（活動）状態である、即ち、通信を行っていることはまず有り得ないためである。従って、使用されていない（空いている）ＴＤＭＡタイム・スロットにより、付加的なＦＥＣパリティ・ビットを収容する付加的なパケット（例えばＦＥＣパケット１４）を送信できる。尚、当業者であれば、ここに開示する各実施例が、空いているＴＤＭＡタイム・スロットを使用して、付加的なＦＥＣパリティ・データを送信しているが、空いている帯域幅に亘って付加的なＦＥＣパリティ・データを配信するその他の方法も利用可能であることが分かるであろう。
【００１２】
前方誤り訂正（ＦＥＣ）パケット１４内に収容される第２のＦＥＣデータ２４は、現在アクティブ状態である移動端末に対する組織ブロック符号（ｓｙｓｔｅｍａｔｉｃ  ｂｌｏｃｋ  ｃｏｄｅ）用のＦＥＣパリティ・ビットから成る。組織ブロック符号の使用により付加的なパリティ・ビットを使用せずにオリジナル・データ・ビットを確実に回復でき、従って、ＦＥＣパケット１４の負担を軽減できる。ＦＥＣパケット１４は、それを使用できるのに十分な利用可能帯域幅（空きタイム・スロット）が有るときのみ、生成する或いは使用するように構成できる。
【００１３】
利点として、データ・ペイロード１８は、付加的なＦＥＣパケット１４が使用されるか否かに拘わらず、変更されることはない。従って、どの移動端末についても平均情報転送速度は同じである。ＦＥＣパケット１４が使用される期間の間、より強いＦＥＣ符号を使用することによる利点を享受できる。それには、平均データ転送速度を変更することなく、移動端末内の送信装置の電力を低減できるという利点が含まれている。
【００１４】
図２は、本発明の一実施例に従って、各パケットを送信用にフォーマット化するメカニズム例を示すブロック図である。図２では、このメカニズム例の全体が参照番号１００で示されている。ベース・ユニットまたは移動端末から送信されるべきディジタル化通信データの供給源に相当する情報供給源（ソース）１０２が、データを信号路１０４を介して第１のＦＥＣ符号器１０６に供給する。ＦＥＣ符号器１０６は、ＦＥＣブロック符号を使用する必要はなく、付加的なＦＥＣデータ２４（図１）の使用不使用に拘わらず、データ・パケット１２（図１）に含まれるＦＥＣデータ２０（図１）を生成する。
【００１５】
前方誤り訂正（ＦＥＣ）符号器１０６の出力は、ＦＥＣデータ２０（図１）とそれに対応するデータ・ペイロード１８（図１）を含んでおり、データ路１１０を介して、ペイロード・パケット・フォーマッタ１１４に供給される。尚、このＦＥＣ符号器１０６の出力をＦＥＣ符号化データと呼ぶことにする。次に、ペイロード・パケット・フォーマッタ１１４は、ＦＥＣ符号化データの構成を完成して、完成済みデータ・パケット１２（図１）にする。また、ペイロード・パケット・フォーマッタ１１４は、例えばデータ・パケット・ヘッダ１６（図１）のようなヘッダを作成することが出来る。ペイロード・パケット・フォーマッタ１１４により作成されたヘッダ内に位置ポインタ（ｌｏｃａｔｉｏｎ  ｐｏｉｎｔｅｒ）を収容でき、当該パケットを受信した移動端末は、この位置ポインタにより、付加的なＦＥＣパリティ・データ２４（図１）を収容する付加的なＦＥＣパケットを検索する際にどの空きＴＤＭＡタイム・スロットを調べるべきかを知ることが出来る。完成済みデータ・パケットは、ペイロード・パケット・フォーマッタ１１４により、データ路１２０に供給される。
【００１６】
前方誤り訂正（ＦＥＣ）パケット１４（図１）に対するポインタを有するヘッダを使用する代わりに、ベース・ユニットが時分割多元接続（ＴＤＭＡ）タイム・スロットを割り当て、受信移動端末が、予め定められた位置に在るＦＥＣパケットを検索するように構成してもよい。例えば、ペイロード・タイム・スロット＃１がある特定のＦＥＣスロット＃ｋに対応するように取り決めることが出来る。そのような場合、受信移動端末は、上記対応するＦＥＣスロットにＦＥＣパケットが収容されているか否かの判定を、当該パケットのヘッダをチェックしてそのパケットに付加的なＦＥＣパリティ・データが収容されているか否かを調べることにより、行える。
【００１７】
前方誤り訂正（ＦＥＣ）符号器１０６から出力されるＦＥＣ符号化データは、データ路１０８を介して第２のＦＥＣパケット符号器１１２にも供給される。尚、このＦＥＣパケット符号器１１２は、破線で図示されているが、これは、十分な余分の時分割多元接続（ＴＤＭＡ）タイム・スロットが利用可能であるときのみに使用できることを示している。ＦＥＣパケット符号器１１２は、組織ＦＥＣブロック符号を使用するＦＥＣパケット１４（図１）内に使用される付加的なＦＥＣデータ２４（図１）を算出する。
【００１８】
前方誤り訂正（ＦＥＣ）パケット符号器１１２の出力は、付加的なＦＥＣパリティ・データのみを含み、データ路１１６を介して、ＦＥＣパケット・フォーマッタ１１８（これも破線で図示されている）に供給される。ＦＥＣパケット・フォーマッタ１１８は、ＦＥＣパケットにヘッダを設けることにより、例えばＦＥＣパケット１４（図１）のようなＦＥＣパケットの構成を完成して、データ路１２２を介してその完成したパケットを転送する。ペイロード・パケット・フォーマッタ１１４から出力された完成データ・パケットと、ＦＥＣパケット・フォーマッタ１１８から出力された完成ＦＥＣパケットとは、データ路１２４を介して、送信装置（図示せず）に供給される。
【００１９】
図２に示された各パケットをフォーマット化する各構成部分は、ベース・ユニット或いは移動端末のどちらでも使用できるが、対応する送信装置がベース・ユニットと移動端末のどちらに在るかにより、付加的なＦＥＣデータを作成、および／または、送信すべきか否かを決定する際、異なる検討が必要になる。ベース・ユニット側では、ＦＥＣ符号器１０６により生成されたＦＥＣ符号は、ブロック符号である必要はなく、また、ＦＥＣパリティ・ビットは、隣接するブロックに配置される必要もない。しかし、ＦＥＣ符号器１０６から出力されたＦＥＣ符号化データがＦＥＣ符号器１１２により符号化される場合は、組織ブロック符号が使用される。
【００２０】
ベース・ユニットは、処理回路に使用される豊富な電力（データ送信用アンテナからの放射電力ではない）を有することが望ましい。この豊富な電力とは、ベース・ユニットが、性能を維持したままで、副次的なＦＥＣパリティ・データを作成して、空きタイム・スロットに挿入されたＦＥＣパケット１４（図１）を介して、そのＦＥＣパリティ・データを送信できるのに十分な電力である。そのようなシステムの場合、同一の平均許容放射電力（或いは電力スペクトル密度）について、通信範囲を潜在的に拡大できる。ＦＥＣパケットの受信と処理についても、同様である。
【００２１】
移動端末が付加的なＦＥＣパリティ・データを送信する場合、移動端末は、付加的なＦＥＣデータを処理する電力と送信装置を駆動する電力とについて、限界があると考えられる。ベース・ユニットによるＦＥＣパケット１４（図１）の送信の決定は、常時、行うことが出来るが、これは、ＴＤＭＡマスタであるベース・ユニットが空きタイム・スロットを割り当て出来ることが前提となる。これは、付加的ＦＥＣ保護の使用が、送信される１情報ビット当りのエネルギーについて、一般に、より効率的であるためである。
【００２２】
図３は、本発明の一実施例に従って、受信パケットを処理するメカニズム例を示すブロック図である。参照番号２００により、このメカニズム例の全体が示されている。受信パケットは、データ路２０２を介して、ペイロード・パケット・バッファ２０４またはＦＥＣパケット・バッファ２０６に供給される。
【００２３】
所定のデータ送信について、付加的な前方誤り訂正（ＦＥＣ）パリティ・ビットが使用されている場合、ヘッダ復号器２１０（図３では、破線で示されている）が、入来データ・パケットのヘッダを検査して、入来データ・パケット１２（図１）のヘッダが、対応するＦＥＣパケット１４（図１）を指し示しているか否かを判定する。指し示している場合、データが、データ路２１２を介して、受信装置（図示せず）に送られ、その結果、受信装置は、入来ＦＥＣパケットをＦＥＣパケット・バッファ２０６に誘導する。
【００２４】
付加的なＦＥＣパリティ・ビットが使用されていない場合、データ・パケットは、ペイロード・パケット・バッファ２０４からデータ路２１４を介して直接ＦＥＣ復号器２２４に供給される。その場合、各データ・パケットは、それに組み込まれているＦＥＣデータ２０のみを使用するＦＥＣ訂正処理が施される。
【００２５】
一方、例えば、移動端末内のバッテリを節電する目的で付加的なＦＥＣデータが使用されている場合、データ・パケットは、ペイロード・パケット・バッファ２０４からデータ路２１６（図３では、破線で示されている）を介してＦＥＣ復号器２２０に供給される。また、ＦＥＣパケット１４（図１）も、ＦＥＣパケット・バッファ２０６からデータ路２１８を介してＦＥＣ復号器２２０に供給される。ＦＥＣ復号器２２０は、ペイロード・パケット・バッファ２０４から受信したデータ・パケット１２（図１）に収容されるデータ・ペイロード１８（図１）とＦＥＣデータ２０（図１）（或いは、その任意の組み合わせ）にＦＥＣパリティ・ビット２４（図１）を適用して、部分的に訂正されたパケット・コンテンツを生成する。この部分的に訂正されたパケット・コンテンツは、ＦＥＣ復号器２２４に供給される。ＦＥＣ復号器２２４は、この部分的に訂正されたパケット・コンテンツにＦＥＣデータ２０（図１）を適用して、ＦＥＣ復号化ペイロード・データを得る。このＦＥＣ復号化ペイロード・データは、ＦＥＣ復号器２２４からデータ路２２６を介して後段に供給され、更なる処理が施される。
【００２６】
移動端末が、ベース・ユニットから送信されたＦＥＣパケット１４（図１）に収容された付加的なＦＥＣデータを受信して処理することを決定する際、移動端末の受信装置には、２つの選択肢がある。（１）その１つは、データ・パケット１２（図１）とそれに対応するＦＥＣパケット１４（図１）の両方が受信されるまで、データ・パケット１２の復号化を延期することであり、（２）もう１つは、ＦＥＣパケットを無視して、通常通りの受信と復号化を行うことである。移動端末が付加的なＦＥＣデータを使用するのが望ましいか否かを判定する際、その判定に影響を及ぼす要素として、入来信号の品質が限界に近い（殆ど余裕がない）か否か、或いは、全てのＴＤＭＡタイム・スロットが使用されている状態で（即ち、全ての移動端末が接続されているときに）当該システムにより実現できる動作範囲を超えた動作範囲が望ましいか否かが挙げられる。
【００２７】
入来信号の品質が限界に近い場合、或いは、上記実現できる動作範囲を超えた動作範囲が望ましい場合、ＦＥＣパケット１４（図１）により得られるような付加的なＦＥＣデータの使用が望ましい。移動端末が、その範囲を拡大する目的で、付加的なＦＥＣデータを使用している場合、当業者であれば、次のことが理解できるであろう。即ち、データ送信セッションに参加している移動端末の数が増えることにより、ＦＥＣパリティ・データ用に使用されているタイム・スロットがデータ・パケットの送信用に必要になれば、付加的なＦＥＣパリティ・データについて利用可能なＴＤＭＡタイム・スロットの使用が即座に維持できなくなることがある。
【００２８】
図４は、本発明の一実施例の動作を例示する処理フロー・チャートである。ブロック３０２に於いて、この処理行程が開始される。ブロック３０４に於いて、例えばＦＥＣパケット１４（図１）のＦＥＣデータ２４（図１）のような付加的なＦＥＣデータを、所定のデータ送信について、使用すべきか（使用している）否かを判定する。この判定に影響を及ぼす要素については、既に図２および図３に関連して説明した通りである。付加的なＦＥＣデータが使用されない（されていない）場合、データ・パケットは、一般にデータ・パケット１２（図１）に含まれるＦＥＣデータ２０（図１）のみを使用して、処理される。
【００２９】
付加的なＦＥＣデータを使用すべき（使用している）場合、ブロック３０６に於いて、その付加的なＦＥＣデータを得る。ブロック３０８に於いて、入来データを付加的なＦＥＣデータにより処理する。ブロック３１０に於いて、パケット内に含まれるＦＥＣデータを部分的に訂正されたデータに適用する。ブロック３１２に於いて、本処理行程が終了する。
【００３０】
本発明は、図面を用いてその具体的な実施例を詳細に説明したが、様々な変更を加えることが出来、更に、様々な代替形態が可能である。また、本発明は、ここに開示した特定の形態に限定されるものではない。また、本発明は、本願の特許請求の範囲の各請求項に規定された本発明の精神から逸脱せず、且つ、本発明の範囲内にある全ての変更事項、等価物、および、代替物を包含するものである。
【図面の簡単な説明】
【００３１】
【図１】図１は、本発明の一実施例に従うデータ・パケットおよび前方誤り訂正（ＦＥＣ）パケットの例を示すブロック図である。
【図２】図２は、本発明の一実施例に従って送信用パケットをフォーマット化するメカニズム例を示すブロック図である。
【図３】図３は、本発明の一実施例に従って受信パケットを処理するメカニズム例を示すブロック図である。
【図４】図４は、本発明の一実施例の動作を例示する処理フロー・チャートである。
【図１】
2007525089.tif 000003
【図２】
2007525089.tif 000004
【図３】
2007525089.tif 000005
【図４】
2007525089.tif 000006
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
前方誤り訂正（ＦＥＣ）パケットを生成するシステムであって、
データを受信し、前記データにより第１のＦＥＣデータを符号化して、ＦＥＣ符号化データを形成する第１のＦＥＣ符号器と、
前記ＦＥＣ符号化データを符号化して第２のＦＥＣデータを生成する第２のＦＥＣ符号器と、
前記第２のＦＥＣデータをフォーマットしてＦＥＣパケットにするＦＥＣパケット・フォーマッタと、
を含む、前記ＦＥＣパケットを生成するシステム。
【請求項２】
前記ＦＥＣパケットが、空き時分割多元接続（ＴＤＭＡ）タイム・スロットに挿入される、請求項１記載のＦＥＣパケットを生成するシステム。
【請求項３】
前記データに対応するヘッダには、前記データを前記空きＴＤＭＡタイム・スロットに含まれる前記第２のＦＥＣデータに対応付ける情報が収容されている、請求項２記載のＦＥＣパケットを生成するシステム。
【請求項４】
前記空きＴＤＭＡタイム・スロットに対応する位置が、ＴＤＭＡマスタにより予め決定される、請求項２記載のＦＥＣパケットを生成するシステム。
【請求項５】
前記ＦＥＣ符号化データをフォーマットしてデータ・パケットにするペイロード・パケット・フォーマッタを含む、請求項１記載のＦＥＣパケットを生成するシステム。
【請求項６】
前記第２のＦＥＣ符号器が、組織ブロック符号を用いて前記第２のＦＥＣデータを生成する、請求項１記載のＦＥＣパケットを生成するシステム。
【請求項７】
前記ＦＥＣパケットが、受信装置により節電のために無視される、請求項１記載のＦＥＣパケットを生成するシステム。
【請求項８】
前方誤り訂正（ＦＥＣ）パケットを復号化するシステムであって、
データ・パケットとＦＥＣパケットとを受信して、前記ＦＥＣパケット内に収容された第１のＦＥＣデータを使用して前記データ・パケット内に収容されたデータを復号化して、部分的復号化データを生成する第１のＦＥＣ復号器と、
前記部分的復号化データを受信して、前記データ・パケット内に収容された第２のＦＥＣデータに基づいて、前記データを更に復号化する第２のＦＥＣ復号器と、
を含む、前記ＦＥＣパケットを復号化するシステム。
【請求項９】
前記データ・パケットに対応するヘッダを復号化して前記ＦＥＣパケットを特定するヘッダ復号器を含む、請求項８記載のＦＥＣパケットを復号化するシステム。
【請求項１０】
前記ＦＥＣパケットが、所定の時分割多元接続（ＴＤＭＡ）タイム・スロットから受信される、請求項８記載のＦＥＣパケットを復号化するシステム。
【請求項１１】
前記ＴＤＭＡタイム・スロットに対応する位置が、送信装置により予め決定される、請求項１０記載のＦＥＣパケットを復号化するシステム。
【請求項１２】
前記ＦＥＣパケットが、受信装置により節電のために無視される、請求項８記載のＦＥＣパケットを復号化するシステム。
【請求項１３】
前方誤り訂正（ＦＥＣ）パケットを処理する方法であって、
データと第１のＦＥＣデータとを収容するデータ・パケットを受信するステップと、
第２のＦＥＣデータを収容するＦＥＣパケットを受信するステップと、
前記第２のＦＥＣデータを使用して前記データを処理すべきか否かを決定するステップと、
を含む、前記方法。
【請求項１４】
前記第２のＦＥＣデータを使用して前記データを処理して部分的復号化データを生成するステップを含む、請求項１３記載の方法。
【請求項１５】
前記第１のＦＥＣデータを使用して前記部分的復号化データを処理するステップを含む、請求項１４記載の方法。
【請求項１６】
前記各ステップが、記載された順序で実施される、請求項１５記載の方法。
【請求項１７】
前記第１のＦＥＣデータのみを使用して前記データを処理するステップを含む、請求項１３記載の方法。
【請求項１８】
前記各ステップが、記載された順序で実施される、請求項１７記載の方法。
【請求項１９】
節電のために前記第２のＦＥＣデータを無視するステップを含む、請求項１３記載の方法。
【請求項２０】
前記各ステップが、記載された順序で実施される、請求項１９記載の方法。
【国際調査報告】
2007525089.tif 000007